(57)【要約】依然としてサイズ及び重量がコンパクトであるが、発信元から送られた元のページ・フォーマットの受信無線データを表示する機構をも有し、一連の部分的なページとしてではなくページ全体として元のページを見ることができるセルラ電話機。本当の元の大きさの文字を有する受信した無線可視データの表示をも可能にし、従って、読み取り及び使用が容易になる。データを表示する前記機構は、セルラ電話機により送信されるデータを表示するために使用してもよい。更に、セルラ電話機は、このセルラ電話機の外部の大きな表面に可視データの元のページを投射することができるように、このセルラ電話機の本体内に組み込まれた内部光学プロジェクタを備えている。外面は、セルラ電話機自体の電子表示部の表面積よりも大きく、元のページ・フォーマットと文字サイズを維持できるほど充分大きい。このことは、従来の表示装置のドライバを使用してセルラ電話機の内蔵の表示部及び元の画像をその向けられた外面に投射する内部光学プロジェクタを使用してその外面に可視画像を表す受信無線データを表示する能力をセルラ電話機内の回路に提供することにより達成される。その外面に鮮明な投影を可能にするためにオート・フォーカス能力または手動収束ダイヤルが提供されている。更に、コンピュータ・マウスまたは他の手動操縦装置またはユーザ入力装置は、投影された画像を見る時にそれが可視アイコンにより制御または例えば普通の電子スクリーン上で編集することができるようにセルラ電話機の表面に設けてもよい。
2004503182.tif 000002
【特許請求の範囲】
【請求項１】
受信した情報を表示するモバイル装置であって、
表示すべき情報をフォーマットする表示制御装置と、
この表示制御装置により制御されて前記モバイル装置の外面に情報を表示する光学プロジェクタ表示装置とを有し、この光学プロジェクタ表示装置は、更に、
光を投射する光源と、
光透過形表示スクリーンとを有し、この光透過形表示スクリーンは、前記表示すべき情報を表示するよう動作し、この光透過形表示スクリーンは前記光源がこの光透過形表示スクリーンを通して光を投射し、それにより前記光透過形表示スクリーンに表示された情報の画像を視認のため前記外面に投射するように前記光源の近くに位置決めされている、モバイル装置。
【請求項２】
無線ネットワークを介して無線周波数信号を受信するアンテナと、
この受信した無線周波数信号をデジタル信号へと処理する無線周波数処理回路と、
前記デジタル信号を受信して、このデジタル信号に相当する表示情報を出力する表示制御装置と、
この表示制御装置により制御され前記表示情報を受信してこれを前記モバイル装置の外面に表示する光学プロジェクタ表示装置とを有し、前記光学プロジェクタ表示装置は、更に、
光を投射する光源と、
光透過形表示スクリーンとを有し、この光透過形表示スクリーンは、前記表示すべき情報を表示するよう動作し、この光学透過形表示スクリーンは前記光源がこの光透過形表示スクリーンを通して光を投射し、それにより前記光透過形表示スクリーンに表示された情報の画像を視認のため前記外面に投射するように前記光源の近くに位置決めされている、受信情報を表示するセルラ電話機。
【発明の詳細な説明】
【０００１】
（発明の分野）
本発明は、一般的にはデータ通信の分野に関する。特に、本発明は、無線ネットワーク、例えばインターネットを介して電子データを受信し、この受信データを外面に投射する内蔵の光学的投射器により表示するセルラ電話機に関する。
【０００２】
（発明の背景）
動作中実際には何処からでもセルラ電話機はモバイル音声通信をすることが可能である。セルラ電話機は、小さくなり軽量になるに従って、人が携行するに一層便利となっている。同時に、インターネットの人気が増大するに従って、セルラ電話機は音声データばかりでなくＥメールのような種々の形式の視覚に訴えるデータ、種々の形式の処理された文書、グラフィックス、絵、及びビデオの受信機として使用されている。セルラ電話機のコンパクトさは、通常の音声通信に関して携帯性の点で有利であるが、その本来の性質によりそのサイズの減少は、視覚に訴えるデータの表示に関して本来の不利な点をもたらしている。すなわち、表示はあまりに小さいので、大部分の文書と視覚に訴えるデータを元のフルページのフォーマットでユーザが見て読み取ることができるように実際に提供することはできない。この問題の１つの解決法は、セルラ電話機の内蔵の小スクリーンの視認フレームに含まれるように、各ページをより小さい数個のページに任意にフォーマットし直すことである。その結果、ユーザは、もともと１ページとして送られた可能性のある物を読むために多くの小ページにわたりスクロールして進むことを余儀なくされる。更に、本来備わっている小さいスクリーン・サイズのため、表示されたドキュメントの個々の文字は、読むことが困難である。これは、必要のためにこれらの文字自体のサイズを減少させてあるからである。更に、表示の有限な視認サイズが与えられると、グラフィック画像は時々適切な表示がされなくなる。
【０００３】
この問題の１つの解決法は、米国特許第５、９７０、４１８に提供されており、その内容は言及により本願に援用されるものが、統合された可視画像表示装置を備えたパーソナル通信器を開示している。特に、開示されている内容は、可視像を作成するために光学装置を利用する無線ハンドセット電話であり、その可視像は、例えば回動する支持アームを介して電話機自体に取り付けた表示面に表示される。
【０００４】
これらの欠点及び不便な点のため多くの個人はインターネットの準備したセル電話を完全に有利に利用しようとする気をくじかれた。
これらの問題の部分的な解決法は、セルラ電話機の特定のモデルへの表示を拡大することにより試みられた。しかし、ハンドヘルド形無線装置の組み込み表示部の大きさと、このような装置の大きさ及び重量との間には直接的な逆相関が存在するので、その試みは有益ではない。内蔵の表示器の大きさが増加することにより、この携帯通信装置の携帯性及びコンパクトさが損なわれる。
【０００５】
（発明の要約）
本発明は、従来技術の上記の欠点を除去するものである。本発明は、依然としてサイズ及び重量がコンパクトであるが、送信元から送られた元のページ・フォーマットの受信無線データを表示する機構をも有し、一連の部分的なページとしてではなくページ全体として各元のページを見ることができるセルラ電話機を提供する。本発明は、本当の元の大きさの文字を有する受信した無線可視データの表示をも可能にし、従って、読み取り及び使用が容易になる。データを表示する前記機構は、セルラ電話機により送信されるデータを表示するために使用してもよい。更に、本発明は、特定の環境及びアプリケーションに依存して、受信した元のデータの拡大を含め、表示サイズを調整可能及び変更可能にする。これにより、居心地の良い方法でビデオまたは画像情報を見ることが可能となる。
【０００６】
本発明によれば、セルラ電話機は、このセルラ電話機の外部の大きな表面に可視データの元のページを投射することができるように、このセルラ電話機の本体内に組み込まれた内部光学プロジェクタを備えている。その外面は、セルラ電話機自体の電子表示部の表面積よりも大きく、元のページ・フォーマットと文字サイズを維持できるほど充分大きい。このことは、従来の表示装置のドライバを使用して、セルラ電話機の内蔵の表示部及び元の画像をその向けられた外面に投射する内部光学プロジェクタを使用して、その外面に、可視画像を表す受信無線データを表示する能力をセルラ電話機内の回路に提供することにより達成される。その外面に鮮明な投影を可能にするためにオート・フォーカス能力または手動フォーカスダイヤルが提供される。
【０００７】
更に、投影された画像を見る時にそれが可視アイコンにより制御できるようにまたは例えば普通の電子スクリーン上で編集することができるように、コンピュータ・マウスまたは他の手動操縦装置またはユーザ入力装置がセルラ電話機の表面に設けられてもよい。
本発明の利点の１つは、セルラ電話機からＥメールまたは任意の書類またはデータ・ファイルを送る前に、ユーザがその完全なページ・フォーマットと便利で利用可能なサイズでその画像を見ることができるということである。
本発明の記載は、例としてセルラ電話機について提供されるが、本発明の原理は、ビーパー（ｂｅｅｐｅｒ）、ページャー、携帯通信装置などのような他の小型コンパクトなモバイル通信装置に等しく適用可能である。
【０００８】
（好適な実施例の詳細な記載）
次に図１を参照すると、本発明によるセルラ電話機２０が示してある。このセルラ電話機２０は、従来技術で公知のように表示装置１４を有している。このセルラ電話機２０は、机、壁、一枚の紙などのような外部表示面１７に画像を投射する光学プロジェクタ１６をも有している。セルラ電話機２０は、更に、内蔵の表示装置１４と光学プロジェクタ１６との間でセルラ電話機２０により提供される可視表示を切り替える光学プロジェクタのＯＮ／ＯＦＦスイッチ１２を有している。このＯＮ／ＯＦＦスイッチ１２は、本発明の実施には必要ではない。このような場合、セルラ電話機は、内蔵の表示装置１４と光学プロジェクタ１６の両方に同一の表示情報を提供し、ユーザは、どちらの表示出力を見るべきかを決定する。
【０００９】
セルラ電話機２０は、ユーザ入力を受信するマウス・パッド１３をオプションで有してもよい。ユーザ入力は、外部表示面１７に表示される文書内を移動し、文書の一部を選択し、文書または他の画像を処理するために提供されてもよい。
セルラ電話機２０は、外部表示面１７に表示された画像を調整するフォーカスダイアル１５を有してもよい。
【００１０】
セルラ電話機２０の内部要素を図２に関して次に記載する。この図２は、セルラ電話機２０の内部要素を示すブロック線図である。次に図２０で、セルラ電話機２０は、当技術界で公知のように、アンテナ１、無線周波数受信機２及びマイクロコントローラ３を有している。セルラ電話機２０は、当技術界で公知のように、情報の処理及び伝送用の送信部（図示せず）を有してもいる。受信方向において、無線周波信号は、アンテナ１により受信され、受信機２により復調され、後の処理及び取り扱いのためマイクロコントローラ３に受信データとして入力される。この受信データは、当技術界で公知のように普通の方法で処理され取り扱われるオーディオ情報を含んでもよく、従って、本明細書ではこれ以上記載しない。
【００１１】
受信データは、テキスト、グラフィックまたはビデオを含んでもよいが、バッファ・メモリ４に記憶され、そして表示制御装置５に提供されてもよい。表示制御装置５は、マイクロコントローラ３により制御されて、バッファ・メモリ４に記憶された受信データをフォーマットして、しかるべくフォーマットされたデータを後での表示のために表示ドライバ６に提供するよう動作する。セルラ電話機２０は、従来の表示モードで動作する時、すなわち、ＯＮ／ＯＦＦスイッチ１２がＯＦＦにセットされると、ＬＣＤスクリーン７は駆動され表示ドライバ６はＬＣＤスクリーン７にその受信データを表示するよう動作する。ＬＣＤスクリーン７は、セルラ電話機または他のモバイル装置用の若干の普通使用される内蔵型の表示装置のいずれであってもよい。バッファ・メモリ４と表示制御装置５は、別々の要素として示してあるが、これら要素の１つ以上は図２に示した回路の特定の物理的な実行に依存してマイクロコントローラ３と統合されてもよい。
【００１２】
表示制御装置５は、表示ドライバ６を制御し、この表示ドライバ６は、例えば、それぞれ行及び列の表示のためセイコ・インストゥルメンツ（Ｓｅｉｋｏ　Ｉｎｓｔｒｕｍｅｎｔｓ）から入手可能な制御装置＃１７６６または＃１７６７であってもよい。表示制御装置５は、セルラ電話機への特定の電子表示により要求される表示フォーマットを考慮している。表示制御装置５は、表示情報が保持されているバッファ・メモリ４にアクセスして、そのデータをバッファ・メモリ４から１行づつ取り出して一度にこの１行のデータを表示ドライバ６に送る。これらの行は、表示フレーム全体に対して７０Ｈｚの更新速度を提供するために一度に１行づつ更新される。もちろん、情報表示の任意の類似方法を本発明に従って使用してもよい。
【００１３】
セルラ電話機２０がプロジェクタ表示モードで動作する時、ＬＣＤスクリーン７はオプションで動作不能となり、光学プロジェクタ表示装置８は動作可能となる。このモードでは、表示ドライバ６は光学プロジェクタ表示装置８を介し、更に、オプションでＬＣＤスクリーン７を介して受信データを表示するよう動作する。光学プロジェクタ表示装置８は、図３に更に詳細に示してあって、Ｗｅｌｃｈ　Ａｌｌｙｎ（Ｓｋａｎｅａｔｅｌｅｓ　Ｆａｌｌｓ、Ｎｅｗ　Ｙｏｒｋ）から入手可能なＨＩＤ（ｈｉｇｈ　ｉｎｔｅｎｓｉｔｙ　ｄｉｓｃｈａｒｇｅ）クセノン・バルブのような高強度バルブ１０を有している。この高強度バルブ１０からの光出力は、コリメータ・レンズ（ｃｏｌｌｉｍａｔｉｎｇ　ｌｅｎｓ）１８を通され、その光は一様に分配される。本発明の一実施例によると、次にこの平行された光線は透過形ＬＣＤ表示装置１１を通る。この透過形ＬＣＤ表示装置１１は、表示ドライバ６により外面に表示される特定の画像を表示するように形成されている。次に、透過形ＬＣＤ表示装置１１の後には、収束ダイアルでユーザにより自動的に動作されるか（オート・フォーカス）または調整することができるフォーカスレンズ１９が配置されている。透過形ＬＣＤ表示装置１１は、一辺が１インチより小さく、他の一辺が１インチまでまたはそれ以上の小さな能動表示領域を有してもよい。本発明の一実施例では、この表示装置１１は、ポリシリコンの能動マトリックス透過形表示型のものであってもよく、例えば、ソニー社から入手可能なパーツ番号ＬＣＸ０３１ＡＬＴである１．３インチＬＣＤ表示装置であってもよい。
【００１４】
本発明による他の実施例では、キセノン光源１０とコリメータ・レンズ１８は投射された画像を外面に表示させるためにＬＣＤ表示装置１１から光を反射するように向きを与えられてもよい。この実施例によれば、ＬＣＤ表示装置１１は、透過形表示装置ではなく、むしろ、表示装置１１の一測が鏡状仕上げまたは他の反射面を塗布された反射表示装置である。
【００１５】
ＬＣＤ表示装置１１は、モノクロかまたはカラーであってもよい。カラー表示装置の場合、３つの内蔵カラー・フィルタを備えた単一表示装置を使用してもよい。あるいは、単一のカラー・フィルタを各々備え３つの別々の表示装置を使用し、これら３つの表示装置の出力は、当技術界で公知のように適切な光学装置を使用して合成カラー画像を生じるよう組み合わせてもよい。
【００１６】
本発明によれば、ユーザは、セルラ電話機または他のモバイル装置により受信された情報を外面に投射することによりその情報を見ることができる。こうして、投射画像は、セルラ電話機の従来の内蔵表示装置の画像領域よりもかなり大きくしてもよい。同様に、情報の投射は、ユーザが文書または何らかの他の情報を作成または送信するためにモバイル装置を利用する場合などであるが、情報の送信に関連して使用されてもよい。外部表示面で表示情報を見る時、ユーザは、表示された文書または情報を調べるために、及び、表示された文書の一部または全体を選択または処理するためにマウス・パッド１３を使用することもできる。
【００１７】
本発明は、その好適な実施例に関して特に表示し記載されたが、形状及び詳細の種々の変更は、本発明の主旨及び範囲から逸脱せずになし得るということは当業者に理解されよう。
【図面の簡単な説明】
【図１】本発明のよる光学プロジェクタ表示装置を組み込んだセルラ電話機の絵画的図。
【図２】本発明のよるセルラ電話機の内部要素のブロック線図。
【図３】本発明のよる光学プロジェクタ表示装置のブロック線図。
【図１】
2004503182.tif 000003
【図２】
2004503182.tif 000004
【図３】
2004503182.tif 000005
【国際公開パンフレット】
2004503182.tif 000006
2004503182.tif 000007
2004503182.tif 000008
2004503182.tif 000009
2004503182.tif 000010
2004503182.tif 000011
2004503182.tif 000012
2004503182.tif 000013
2004503182.tif 000014
2004503182.tif 000015
2004503182.tif 000016
【国際公開パンフレット（コレクトバージョン）】
2004503182.tif 000017
2004503182.tif 000018
【国際調査報告】
2004503182.tif 000019